(57)【特許請求の範囲】
【請求項１】
複数のチャンネルに対応した複数のスピーカを接続する複数の出力端子を備えるオーディオ装置において、
前記複数のチャンネルのうちテストトーン信号が入力されたチャンネルを検出する入力チャンネル検出手段と、
前記入力チャンネル検出手段により検出したチャンネルを表示する入力チャンネル表示手段と、
前記複数の出力端子のうちスピーカが接続された出力端子を検出するスピーカ接続端子検出手段と、
前記スピーカ接続検出手段により検出した出力端子を表示するスピーカ接続端子表示手段と、
前記入力チャンネル検出手段が検出したチャンネルと前記スピーカ接続端子検出手段が検出した出力端子に基づいて、予め定めたチャンネルの出力が予め定めた出力端子に供給されているか否かを判定する判定手段とを備えることを特徴とするオーディオ装置。
【発明の詳細な説明】
【０００１】
【発明の属する技術分野】
本発明は、多チャンネルオーディオ信号を出力しスピーカにてサラウンド再生するオ
ーディオ装置に関するものである。
【０００２】
【従来の技術】
従来のオーディオ装置では、複数の再生チャンネルの信号を複数のスピーカから再生し、試聴位置で所定の音像がサラウンド再生されるように、それぞれのスピーカから放射される信号音を聞き決まった方向から音が出るようにチャンネルの指定を変更したりレベル調整をしていた。
【０００３】
また、試聴者は、決められた位置に配置された各スピーカが決められたチャンネルに接続されているかどうか、各チャンネルの信号がテスト用に記録された記録媒体を再生して、スピーカの位置を確定する試聴用のプログラムに従って、順次聞き分け設定するスピーカコンフィギュレーションの設定作業を行った後、サラウンド再生をしていた。
【０００４】
【発明が解決しようとする課題】
多くのチャンネルの信号を有するオーディオ装置の出力端子に、一端がスピーカに接続されたスピーカコードを接続し、多チャンネルの音場再生をしてサラウンド効果を有した立体音像を得るため、記録媒体を再生し、電力増幅してスピーカ出力を得るとき、スピーカ出力端子側で誤配線をした場合、所望の音像を得ることができない。  また、低音再生用のチャンネルに中高音再生用のスピーカを接続し設定がなされるとスピーカ破損の原因となる危険性もあり、指定すべきチャンネルのアンプの出力端子には、スピーカ配置位置に合ったスピーカを接続することが要求され、接続設定操作が複雑であった。
さらに、スピーカの接続を確認するため成されるスピーカコンフィギュレーションでは、所定の定位置にスピーカが設置され接続がなされた後、遅延量の補正やレベル調整をする等のもっと複雑な設定操作が成される。本発明は、スピーカの配線を正しく行われたかどうかをすみやかに確認することができ、入力チャンネル及びスピーカの出力端子への接続を検出して、スピーカ配置位置に対応してチャンネル表示とスピーカの接続表示を行い表示された内容から簡単に目的の出力端子にスピーカを接続することができるように成すものである。
【０００５】
【課題を解決するための手段】
本発明は、複数のチャンネルに対応した複数のスピーカを接続する複数の出力端子を備えるオーディオ装置において、前記複数のチャンネルのうちテストトーン信号が入力されたチャンネルを検出する入力チャンネル検出手段と、前記入力チャンネル検出手段により検出したチャンネルを表示する入力チャンネル表示手段と、前記複数の出力端子のうちスピーカが接続された出力端子を検出するスピーカ接続端子検出手段と、前記スピーカ接続検出手段により検出した出力端子を表示するスピーカ接続端子表示手段と、前記入力チャンネル検出手段が検出したチャンネルと前記スピーカ接続端子検出手段が検出した出力端子に基づいて、予め定めたチャンネルの出力が予め定めた出力端子に供給されているか否かを判定する判定手段とを備えることを特徴とするオーディオ装置である。
【００１２】
【発明の実施の形態】
本発明の実施例を図面により説明する。図１は本発明のオーディオ装置の一実施例を示すブロック図である。また、図２はマイクロコンピュータ（以下マイコンと言う）の動作を示すフローチャート、図３は表示器の表示パターンの一例を示す図である。
【００１３】
本実施例のオーディオ装置１は、レーザディスク（以下ＬＤと言う）等の立体音響情報及び画像情報等が記録された記録媒体を再生する再生装置１１の出力端１２から入力端子４に再生信号が入力される。再生装置１１はマイコン８にて同期信号による制御が成されＬＤの所望のトラックの選択再生を行う。
【００１４】
オーディオ装置１は、５チャンネルサラウンド再生用のスピーカにサラウンド信号を再生し供給する５チャンネル（ＦＬ，ＦＲ，Ｃ，ＳＬ，ＳＲ）、及びサブウーファ（Ｓｕｂ  Ｗｏｏｆｅｒ）を追加した６個のスピーカを夫々駆動するアンプ２ａ〜２ｎ（ｎ＝ｆ）を内蔵し、各アンプの出力がそれぞれ接続されるバックパネル等に設けた出力端子５ａ〜５ｆを具備し、リスニングルームの各定位置に配置されたスピーカ３ａ〜３ｆの入力端子６ａ〜６ｆと接続線にて接続される。
【００１５】
入力信号の復調及びデジタルアナログ変換等の信号処理が入力信号処理部７で成される。入力信号処理部７で信号処理がなされ、各チャンネルの信号に分けられたオーディオ信号が、端子７ａ〜７ｆから各アンプ毎に信号が供給される。
【００１６】
アンプ２ａ〜２ｆは、操作部１０の操作に基づき、マイコン８により入力レベルを制御するレベルコントローラ１６ａ〜１６ｆを有する。
また、各チャンネルのアンプ２ａ〜２ｆはその電源供給部に電力消費を検出する微小抵抗を設け、その両端の電圧を検出する検出素子１３ａ〜１３ｆを有し、各検出素子を短絡するスイッチ１４ａ〜１４ｆを具備する。各々の検出素子１３ａ〜１３ｆは電源から供給される電流を検出する。
また、再生装置１１で再生される画像情報は、マイコン８で一部が取り込まれて表示器９へ表示され、或いは直接テレビの画面等の画面表示器１７で画像表示がなされる。
【００１７】
マイコン８のメモリに有した各チャンネルのテストトーン信号及び画像表示の信号、或いは再生装置１１により記録媒体から再生されたテストトーン信号及び画像情報の一部であるスピーカ配置パターン情報が、マイコン８により取り込まれる。スピーカ配置図は、図３に示すように表示器９に表示される。
【００１８】
図３におけるアンプの出力が供給されるスピーカ位置の表示は、例えばアンプ２ａをセンタスピーカ用、アンプ２ｂをフロントレフト（ＦＬ）スピーカ用、アンプ２ｃをフロントライト（ＦＲ）スピーカ用、アンプ２ｄをサラウンドレフト（ＳＬ）スピーカ用、アンプ２ｅをサラウンドライト（ＳＲ）スピーカ用、アンプ２ｆをサブウーファ用と予め指定する。
【００１９】
マイコン８は、入力信号処理部７を制御して決められたチャンネルのアンプに信号を選定し端子７ａ〜７ｆから各アンプ２a〜２ｆへ入力し、信号が入力されたチャンネルの表示Ａが点滅表示され、アンプ２の出力が出力端子５から出力され、出力端子５に接続されたスピーカ３で消費されることによりアンプ２の電源回路から供給される電力が増加し、アンプ２の出力端子に確かにスピーカ３が接続されているものとして、出力の表示Ｓを点滅表示してＡとＳとの表示と音の方向の一致を確認することができる。
【００２０】
テストトーン信号がセンターの場合、検出素子１３ａにて消費電力が検出される。その表示としてＣｅｎｔｅｒ表示のＡが点滅表示する。通常の場合、表示のＡとＳが一致し対で点滅表示されるが、特殊操作指定で入力信号処理部７のチャンネル出力端７ａ〜７ｆの入れ替え操作等を行なった場合は、一致しない。
【００２１】
また、図３に示すように、複数のスピーカ３ａ〜３ｆをサラウンド試聴位置と関連づけて配置し、入力チャンネル表示Ａとスピーカ３ａ〜３ｆが接続されたことを示す出力端子側の表示Ｓを接近し関連した位置にて表示したので、マイコン８にて内蔵するテストトーン音源を用いてテストトーン信号をチャンネル順に切り替えＡが点滅表示され、その関連部分のＳの点滅表示がなされない或いはテストトーンが聴こえない場合、そのスピーカ３が接続された出力端子５以降に信号が断絶されていることが直ちに分かり、原因の究明を成すことができる。
【００２２】
再生装置１１において記録媒体を再生し、記録媒体による最適試聴条件の設定操作が行われる場合、既に接続状態がマイコン８に設定され記憶されているので、記憶された情報に基づきスピーカコンフィギュレーションの操作を操作部１０のキー入力で完了を指示し簡単に設定することができる。
【００２３】
表示器９或いは画面表示器１７にスピーカ配置図を表示し、点滅によるテストトーン信号の位置表示Ａと、接続表示Ｓで表示されたスピーカ３ａ〜３ｆの音のレベル調整をレベルコントローラ１６で各チャンネルについて行い、ディレイタイムの調整は、操作部１０によりマイコン８により入力信号処理部７にて遅延量の制御操作を行う。この場合も、マイコン８によりアンプ２ａ〜２ｆの出力端子５ａ〜５ｆの各スピーカ３ａ〜３ｆとの接続が確実に維持されているかどうか確かめる動作を各チャンネルのテストトーン信号を入力して行うことができる。
【００２４】
また、上述の再生装置１１によるテストトーン信号に替えて、マイコン８のメモリに予め記憶したスピーカ配置表示パターン及びテストトーン信号データを読み出し、図３に示すスピーカ配置の表示を表示器９に表示し、表示位置を点滅することによるテストトーン信号の入力チャンネルの位置表示Ａと、スピーカの接続の表示Ｓの接続されたスピーカ３ａ〜３ｆの位置からの音のレベル調整をレベルコントローラ１６ａ〜１６ｆで各チャンネルにて行い、ディレイタイムの調整は、操作部１０により設定操作を行い、マイコン８による制御で入力信号処理部７にて遅延量が設定されスピーカコンフィギュレーションの設定が行われる。マイコン８は、アンプ２の出力端子５ａ〜５ｆへのスピーカ３ａ〜３ｆの接続が確実に維持されているかどうか確かめる動作を操作無１０の指示によりいつでも行うことができる。
【００２５】
また、上述の入力信号処理部７で入力チャンネル切り替えを行うように説明したが、入力チャンネルの設定が固定されたオーディオ装置の場合は、出力端子５ａ〜５ｆは決まった位置のスピーカ３ａ〜３ｆに接続される。したがって、各チャンネルのテストトーン信号をマイコン８で切り換え出力端子５ａ〜５ｆにスピーカ３ａ〜３ｆが接続されているかどうかの判別は、検出器１３ａを介し各アンプ２ｂ〜２ｆに電源を供給するように接続し検出を共通にし、入力されるチャンネルのテストトーン信号Ａの点滅表示或いはスピーカの接続を示すＳの点滅表示を確認し音の一致を聞き確認するように
すれば良い。
【００２６】
次に、図２に示すフローチャートに基づき、マイコン８の動作を説明する。操作者は、スピーカ３ａ〜３ｆをオーディオ装置１の出力端子５ａ〜５ｆに接続する（Ｓ１）。操作部１０からマイコン８を介し再生装置１１にテストトーン発生を指示する。再生装置１１は、スピーカコンフィギュレーション用に設けられた記録媒体の所定のトラックを再生し、スピーカ配置を示す画像情報がマイコン８から表示器９に送られ、表示器９は各スピーカの配置を画面表示し、マイコン８は各チャンネルのテストトーン信号を順次発生するように再生装置１１を制御する。表示器９及び画面表示器１７はテストトーン信号が出力されるべきスピーカの位置を表示する（Ｓ３）。
【００２７】
例えば、スピーカ表示は、図３に示すように所定のスピーカ位置に相当する表示のＡを点滅し操作者に注意を促し、Ａの位置のスピーカにテストトーン信号が入力されたことを示す。
【００２８】
マイコン８は、スイッチ１４ａ〜１４ｆのいずれかをＯＦＦ或いはＯＮして、テストトーン信号が入力されたチャンネルがいずれのチャンネルであるかをサーチし（Ｓ４）、スピーカ負荷が接続されたために消費電力が増し消費される電流が増加したことを検出する。マイコン８は、電力消費が検出されるとスピーカ３ａ〜３ｆのいずれかが接続されたものと判断し（Ｓ５）、所定のアンプ２ａ〜２ｆの出力が供給される定位置のスピーカ位置の表示Ｓを点滅して表示する（Ｓ６）。
【００２９】
テストトーン信号のスピーカ出力音が出ているスピーカ３の位置と点滅する表示Ｓの位置が一致したか、マイコン８は確認のメッセージ表示を表示器９にて行い（Ｓ７）、一致した場合は操作部より設定操作する（Ｓ１１）。操作部１０にて設定操作が一定期間にされない場合、マイコン８は表示器９に表示したＡとＳとの点滅表示の一致を確かめ一致を判定し、スピーカ接続が正しく設定されたと判断して、次のチャンネルのテストトーン信号を出力し、順次判定を繰り返す。
【００３０】
表示器９に表示されるＡとＳの点滅位置が異なる場合は、操作者は操作部１０からキー入力により間違いであることを入力し、アンプ２の出力端子５へのスピーカ３の接続をＡ表示場所のスピーカ３に接続をしなおすか、マイコン８に結果を記憶し、テストトーン信号のチャンネル入力が一巡しアンプ２とスピーカ３の接続の確認が全てのチャンネルで終了する。
３チャンネル以上の接続違いの場合は間違ったチャンネルのテストトーン信号を再生した各スピーカ３は、マイコン８がそれぞれのチャンネルにテストトーン信号を順次入力し、テストトーン信号の音が出ているスピーカの接続線を外して、点滅表示Ａの出力端子５へ音の出ていたスピーカ３を接続する（Ｓ１０）。
【００３１】
間違ったチャンネルが２である場合は、入力信号処理部７で自動入力切替が作動し、正しい状態に復帰させる。
間違いが１の場合は接続不良であるので再接続させる表示がマイコン８から表示器９に再接続の指示が出されて操作者は表示器９の表示Ａが点滅している位置のスピーカを再接続し、テストトーン信号の出力を音で確認する。この場合スピーカ側で接続不良の箇所がある場合は出力端子５での接続と接続部以外のスピーカ３の入力端子６等に原因がある場合があるので、直ちに確認作業を行うことができる。
【００３２】
全てのチャンネルの音と表示が一致すると、スイッチ１４ａ〜１４ｆをＯＮし検出素子１３ａ〜１３ｆのアンプ２ａ〜２ｆへの影響を除く（Ｓ１２）。
操作者は、マイコン８により表示器９の表示Ａ及びＳの点滅表示に従い操作部１０よりキー入力し、スピーカ３ａ〜３ｆの接続を完了する。
【００３３】
【発明の効果】
本発明のオーディオ装置によれば、複数のスピーカの定位置のスピーカに供給される電力消費を検出し出力アンプとスピーカの接続状態の表示を行うので、複数のスピーカのアンプの出力端子への接続を容易に確認することができる。
【図面の簡単な説明】
【図１】本発明のオーディオ装置の一実施例を示すブロック図。
【図２】本実施例に用いたマイコンの動作を示すフローチャート。
【図３】本実施例の表示例を説明する図。
【符号の説明】
１            オーディオ装置
２            アンプ
３            スピーカ
４，６        入力端子
５            出力端子
７            入力信号処理部
８            マイコン
９            表示器
１０            操作部
１１            再生装置
１２            出力端子
１３            検出器
１４            スイッチ
１５            電源
１６            レベルコントローラ
１７            画面表示器
【図１】
0003793954.tif 000002
【図２】
0003793954.tif 000003
【図３】
0003793954.tif 000004